(57)【要約】【課題】検出対象が気液状態または凝縮しやすい冷媒のようなものあっても、液位を正確に検出できる装置を提案する。【解決手段】冷媒Ｃを蒸発させる蒸発容器１４に上部導管２４ｂ及び下部導管２４ａを介して連結されて蒸発容器１４内の上部と下部の差圧を測定する差圧検出部２９を備える冷媒液位検出装置２０において、下部導管２４ａは、蒸発容器１４と前記差圧検出部２９との間において上下方向に向けて設置されることを特徴とする。【選択図】図２
2008224055.tif 000002
【特許請求の範囲】
【請求項１】
冷媒を蒸発させる蒸発容器に上部導管及び下部導管を介して連結されて前記蒸発容器内の上部と下部の差圧を測定する差圧検出部を備える冷媒液位検出装置において、
前記下部導管は、前記蒸発容器と前記差圧検出部との間において上下方向に向けて設置されることを特徴とする冷媒液位検出装置。
【請求項２】
冷媒を蒸発させる蒸発容器に上部導管及び下部導管を介して連結されて前記蒸発容器内の上部と下部の差圧を測定する差圧検出部を備える冷媒液位検出装置において、
前記上部導管に前記冷媒を加熱するヒーターを備えることを特徴とする冷媒液位検出装置。
【請求項３】
前記上部導管は、前記蒸発容器の上部から上方に向けて設置された部位を有することを特徴とする請求項２に記載の冷媒液位検出装置。
【請求項４】
前記蒸発器に連結されたヘッダーを備え、かつ、前記上部導管及び下部導管が前記ヘッダーに連結されることを特徴とする請求項１から請求項３のうちいずれかに記載の冷媒液位検出装置。
【請求項５】
液体が流れる複数の伝熱管を容器内に有し、前記容器内に供給された冷媒により前記伝熱管内の液体を冷却する満液式蒸発器において、
前記容器内の冷媒の液位を検出する冷媒液位検出部として、請求項１から請求項４のうちいずれかに記載の冷媒液位検出装置を用いることを特徴とする満液式蒸発器。
【請求項６】
水を過冷却水へと変化させる過冷却装置と、過冷却水の過冷却状態を解除する過冷却状態解除装置と、水または氷を収容する蓄熱槽と、蓄熱槽内の水を前記過冷却装置に供給する供給装置と、からなる氷蓄熱装置において、
前記過冷却装置として、請求項５に記載の満液式蒸発器を用いることを特徴とする氷蓄熱装置。
【請求項７】
蒸発器と圧縮機と凝縮器と膨張器からなるヒートポンプシステムにおいて、
前記蒸発器として、請求項５に記載の満液式蒸発器を用い、かつ、前記冷媒液位検出装置の検出結果に基づいて前記膨張器の開度制御を行うことを特徴とするヒートポンプシステム。
【発明の詳細な説明】
【技術分野】
【０００１】
本発明は、冷媒液位検出装置、満液式蒸発器、氷蓄熱装置及びヒートポンプシステムに関する。
【背景技術】
【０００２】
従来、一般に、満液式蒸発器は、下部側に液体状の冷媒の入口部を、上部側に気体状の冷媒の出口部を設けた蒸発器本体内に、複数の伝熱管を配設して構成される。具体的には、蒸発器本体内に一定量の液体状の冷媒を満たし、伝熱管を介して、液体上または気体上の冷媒と伝熱管に流れる流体との熱伝達を行うものである（例えば特許文献１）。
このとき、液体状の冷媒と伝熱管が接触し、伝熱管の表面温度が液体状の冷媒の沸点を上回っていれば、冷媒は沸騰し、熱伝達は熱伝達効率のよい沸騰熱伝達によって行われることになる。
【０００３】
ところで、所望の熱伝達効率を実現するために、蒸発器内の液体状の冷媒の液位を測定し、その結果に基づいて膨張弁の開閉を行い、蒸発器に流入する冷媒の量が制御されている。液位の検出には、差圧伝送器が用いられ、蒸発器本体内の上部と下部の圧力差（差圧）を検出することによって間接的に行われる。
【特許文献１】特公平７−１１３４９８号公報
【発明の開示】
【発明が解決しようとする課題】
【０００４】
しかしながら、液体の冷媒は沸騰によって泡立ってしまうため、液面高さを適切に検出することは困難であった。すなわち、蒸発器またはヘッダーと差圧伝送器とを連結する下部導管には、液体上の冷媒の他に気体状の冷媒（気泡）が入り込んでしまう。
一方、蒸発器またはヘッダーと差圧伝送器とを連結する上部導管には、気体状の冷媒の他に液体状の冷媒が泡となって入り込んだり、気体状の冷媒が凝縮して液体となったりするため、正確な差圧の検出が困難であるという問題がある。
【０００５】
本発明は、上述した事情に鑑みてなされたもので、液位を正確に検出することができる冷媒液位検出装置、満液式蒸発器、氷蓄熱装置及びヒートポンプシステムを提案することを目的としている。
【課題を解決するための手段】
【０００６】
本発明に係る冷媒液位検出装置、満液式蒸発器、氷蓄熱装置及びヒートポンプシステムでは、上記課題を解決するために以下の手段を採用した。
【０００７】
第１の発明は、冷媒を蒸発させる蒸発容器に上部導管及び下部導管を介して連結されて前記蒸発容器内の上部と下部の差圧を測定する差圧検出部を備える冷媒液位検出装置において、前記下部導管は、前記蒸発容器と前記差圧検出部との間において上下方向に向けて設置されることを特徴とする。
【０００８】
また、冷媒を蒸発させる蒸発容器に上部導管及び下部導管を介して連結されて前記蒸発容器内の上部と下部の差圧を測定する差圧検出部を備える冷媒液位検出装置において、前記上部導管の一部に前記冷媒を加熱するヒーターを備えることを特徴とする。
また、前記上部導管は、前記蒸発容器の上部から上方に向けて設置された部位を有することを特徴とする。
【０００９】
また、第２の発明は、液体が流れる複数の伝熱管を容器内に有し、前記容器内に供給された冷媒により前記伝熱管内の液体を冷却する満液式蒸発器において、前記容器内の冷媒の液位を検出する冷媒液位検出部として、第１の発明に係る冷媒液位検出装置を用いることを特徴とする。
【００１０】
また、第３の発明は、水を過冷却水へと変化させる過冷却装置と、過冷却水の過冷却状態を解除する過冷却状態解除装置と、水または氷を収容する蓄熱槽と、蓄熱槽内の水を前記過冷却装置に供給する供給装置と、からなる氷蓄熱装置において、前記過冷却装置として、第２の発明に係る満液式蒸発器を用いることを特徴とする。
【００１１】
また、第４の発明は、蒸発器と圧縮機と凝縮器と膨張器からなるヒートポンプシステムにおいて、第２の発明に係る満液式蒸発器を用い、かつ、前記冷媒液位検出装置の検出結果に基づいて前記膨張器の開度制御を行うことを特徴とする。
【発明の効果】
【００１２】
本発明によれば以下の効果を得ることができる。
第１の発明は、蒸発容器内に満たされる冷媒が気液二相状態であっても、下部導管が蒸発容器またはヘッダーと差圧検出部との間において上下方向に向けて設置されることにより、下部導管に気泡が混入したとしても、この気泡は液面まで戻されるので、気泡が差圧検出部にまで達せず、正確に差圧を検出することができる。
【００１３】
また、凝縮した冷媒を過熱するヒーターを上部導管に備えることにより、凝縮した冷媒を気化させるため、液体が差圧検出部にまで達せず、正確に差圧を検出することができる。また、上部導管を蒸発容器またはヘッダーの上部から上方に向けて設置された部位を有することにより、液状の冷媒が混入しづらいため、正確に差圧を検出することができる。
【００１４】
また、第２の発明は、満液式蒸発器において第１の発明である冷媒液位検出装置を用いることにより、正確な差圧の検出及び液状の冷媒の液位を検出できるので、例えば、冷媒液面高による液バック運転及び冷媒液面低による蒸発温度の低下や伝熱管内冷水の閉塞を防止することができる。
【００１５】
また、第３の発明は、氷蓄熱装置において、過冷却装置として、第２の発明である満液式蒸発器を用いることにより、連続的に安定した氷蓄熱装置の運転を行うことができる。
【００１６】
また、第４の発明は、第２の発明である満液式蒸発器を用いてヒートポンプシステムを構成して、正確な冷媒液位の検出結果に基づいて前記膨張器の開度制御を行うことにより、連続的に安定したヒートポンプシステムの運転を行うことができる。
【発明を実施するための最良の形態】
【００１７】
以下、本発明に係る冷媒液位検出装置、満液式蒸発器、氷蓄熱装置及びヒートポンプシステムの実施形態について図面を参照して説明する。
図１は本発明の実施の形態に係る氷蓄熱装置１の概略構成を示す模式図である。
【００１８】
氷蓄熱装置１は、シャーベッド状の氷Ｉの蓄積及び水Ｗを収容する蓄熱槽７０と、蓄熱槽７０下部から水循環路６５ａを介して水Ｗを吸い込み水循環路６５ｂに送り出すポンプ６７と、水循環路６５ｂを介してポンプ６７から供給された水Ｗを過冷却水Ｗ´へと変化させる過冷却装置１０と、過冷却水Ｗ´にエアを吹き込むことにより衝撃を与えて過冷却状態を解除し過冷却水Ｗ´をシャーベット状の氷Ｉに変化させる過冷却状態解除装置６６によって構成されている。なお、ポンプ６７は、後述する制御装置ＣＯＮＴにより制御される。
【００１９】
過冷却装置（満液式蒸発器）１０は、下部側に液体状の冷媒Ｃの入口部を、上部側に気体状の冷媒Ｃの出口部を設けた蒸発容器１４内に、複数の伝熱管１２を配設して構成される（図２参照）。また、気体状の冷媒Ｃの出口部の前部には冷媒液ミスト除去用の衝突板１３、例えばパンチングメタル等が備えられている。
【００２０】
蒸発容器１４は、円筒形状であり水平方向に横たわるように配置されている。また、蒸発容器１４の側面（曲面部）には、後述のヘッダー２３に冷媒Ｃを導入するための導入管２１ａ，２１ｂが設けられている。そして、導入管２１ａには開閉弁２２ａが，導入管２１ｂには開閉弁２２ｂが設けられている。
【００２１】
また、伝熱管１２は、断面形状が中空円形のものであり、複数本が蒸発容器側壁（管板）１６ａ，１６ｂを貫通するように水平方向にそれぞれ平行に配置されている。
【００２２】
冷媒Ｃとしては、例えば、フロンＲ１３４ａが使用される（以下、適宜、液体状の冷媒をＣ１、気体状の冷媒をＣ２とする）。氷蓄熱装置１の運転時には蒸発容器１４内の圧力は約１５０ｋＰａ〜１９０ｋＰａであって、液体状の冷媒Ｃ１が蒸発容器１４内の下部に溜まるようにされている。
ここで、水Ｗの過冷却は、蒸発容器１４内に満たされた液体状の冷媒Ｃ１が伝熱管１２に接触し冷媒Ｃ１が沸騰することで、沸騰熱伝達により行われる。そして、蒸発容器１４内の伝熱管１２を流れる水Ｗは−２℃〜０℃の過冷却水Ｗ´となった後に、過冷却状態解除装置６６を経て、シャーベッド状の氷Ｉとなって蓄熱槽７０内に排出される。
【００２３】
そして、液体状の冷媒Ｃ１及び気体状の冷媒Ｃ２の差圧が液位検出装置２０により検出されることで、液位の制御が行われる。
【００２４】
また、過冷却装置１０には、過冷却装置１０の出口部より流入した気体状の冷媒Ｃ２を断熱圧縮する圧縮装置３０と、気体状の冷媒Ｃから放熱し液体状の冷媒Ｃに凝縮させる凝縮装置４０と、冷媒Ｃを断熱膨張させる電動膨張弁５０とが配管（冷媒循環路）１５を介して環状に接続される。これによりヒートポンプシステム３が構成されている。なお、圧縮装置３０は圧縮器容量制御装置３１、圧縮機３２、駆動装置３３から構成される。
そして、制御装置ＣＯＮＴによって、圧縮装置３０、凝縮装置４０、電動膨張弁５０の冷媒Ｃの流量が制御されるようになっている。
【００２５】
図２は、本発明の実施の形態に係る液位検出装置２０の概略構成を示す模式図である。
液位検出装置（冷媒液位検出装置）２０は、蒸発容器１４に対して導入管２１ａ，２１ｂを介して連結されたヘッダー２３と、ヘッダー２３の上部及び下部にその一端を連結した導圧管２４ａ，２４ｂと、導圧管２４ｂの一部に取り付けられたヒーター２５と、導圧管２４ａ，２４ｂの他端が連結された差圧伝送器２９から構成されている。
【００２６】
ヘッダー２３は円筒形状であり、蒸発容器１４の曲面側の側方に垂直に配置されており、過冷却装置１０の開閉弁２２ａ及び２２ｂを全開にすれば、液体状の冷媒Ｃ１が２１ａを介して、また気体上の冷媒Ｃ２が２１ｂを介してヘッダー２３内に流入し、ヘッダー２３内と蒸発容器１４内の冷媒の液位差圧が等しくなるようになっている。
【００２７】
差圧伝送器２９は、導圧管２４ａ，２４ｂを介して、ヘッダー２３内の高圧側圧力（液体側、下部）と低圧側圧力（気体側、上部）との差圧を検出し、この差圧に応じた電気信号を制御装置ＣＯＮＴに出力するものである。制御装置ＣＯＮＴは、その出力結果に応じて、電動膨張弁５０の開度の調整を行う。その結果、蒸発容器１４内の液体状の冷媒Ｃ１の液位が間接的に制御される。
【００２８】
高圧側導圧管（下部導管）２４ａは、ヘッダー２３下端と差圧伝送器２９の高圧側連結部２６ａとの間において、上下方向に向けて配置されている。
また、低圧側導圧管（上部導管）２４ｂは、ヘッダー２３上端と差圧伝送器２９の低圧側連結部２６ｂを繋いでいる。低圧側導圧管２４ｂは、ヘッダー２３上端から上方に向けた後に、一旦横斜め上方に屈曲し、さらに屈曲して下方に向けて配置されている。さらに、低圧側導圧管２４ｂの連結部２６ｂ近傍部位２７には、ヒーター２５が巻きつけられている。
【００２９】
次に液位検出装置２０の作用を説明する。
上記の通り、ヘッダー２３内の液位差圧は蒸発容器１４内の液位差圧に等しいから、ヘッダー２３内の差圧を検出して、制御装置ＣＯＮＴにその信号を出力すれば、電動膨張弁５０の開閉によってほぼ一定に冷媒Ｃ１の液位を制御することが可能である。
【００３０】
しかし、電動膨張弁５０から蒸発容器１４内に流入される冷媒Ｃ（Ｃ１，Ｃ２）は気液二相流体であり、さらには蒸発容器１４内において液体状の冷媒Ｃ１が沸騰している。そのため、従来のように、高圧側導圧管（下部導管）が水平方向に設置されると、気泡状の冷媒Ｃ２が混入し、気泡が溜まってしまうので、液体状の冷媒Ｃ１の正確な圧力、ひいては差圧を検出することができず、差圧伝送器２９の誤指示・誤動作が発生する。
【００３１】
一方、図２に示すように、本実施形態では、高圧側導圧管２４ａをほぼ垂直に配置しているので、導圧管２４ａ内の２８部に気泡が混入したとしても、気泡状の冷媒Ｃ２はヘッダー２３内の液面まで戻されるために、気泡が差圧伝送器２９の検出部に到達したり、溜まったりすることもなく、正確な圧力及び差圧を検出することができる。
【００３２】
また、従来では沸騰により生じた泡の破裂により飛散した液状の冷媒Ｃ１及び泡が低圧側導圧管（上部導圧管）内に混入すると、液状の冷媒Ｃ１が低圧側導圧管に溜まってしまい、気体状の冷媒Ｃ２の正確な圧力ひいては差圧を検出することができず、差圧伝送器の誤指示・誤動作が発生する。特に、ヒートポンプシステム３の周囲温度が低くなると、低圧側導圧管内の気体状の冷媒Ｃ２が凝縮してしまうため、差圧伝送器の誤指示・誤動作が発生する。
【００３３】
一方、図２に示すように、本実施形態では、低圧側導圧管２４ｂを蒸発容器１４の上部から上方に向けて垂直に設置して低圧側連結部２６ｂに連結しているので、沸騰により生じた泡の破裂により飛散した液状及び泡状の冷媒Ｃが低圧側導圧管２４ｂ内に混入しづらく、正確な圧力及び差圧を検出することができる。
【００３４】
さらに、ヒートポンプシステム３の周囲温度が低くなり低圧側導圧管２４ｂ内の気体状の冷媒Ｃ２が凝縮してしまったとしても、ヒーター２５によって熱を与えるので冷媒Ｃは気化する。そのため、ヒートポンプシステム３の周囲温度が低くなった状況下であっても、気体状の冷媒Ｃ２の正確な圧力及び差圧を検出することができる。
【００３５】
以上のように、上述の実施形態によれば、蒸発容器１４が気液二層状態の冷媒Ｃであっても、また周囲温度が低い状況であっても、その差圧を正確に検出することができ、それによって正確な冷媒Ｃの液位制御が可能となる。
【００３６】
また、冷水出口温度に応じて液位制御の設定値を変更可能とすれば、液バック現象も有効に防止することができる。
ここで、液バック現象とは、沸騰により生じた泡の破裂により飛散した粒上の冷媒液Ｃが圧縮装置３０へ吸い込まれる現象のことである。液バック現象が発生すると、圧縮装置３０が液体を圧縮することになり、圧縮装置３０に損傷が生じる。氷蓄熱装置運転開始後、一定時間が経過し、水Ｗの温度が十分に低下すれば沸騰現象も安定するために液バック現象が生じにくくなるが、運転開始直後においては蓄熱槽７０内の水Ｗは常温に近く伝熱管１２の表面温度も高いために、沸騰現象が激しくなって液バック現象が起こる。なお、液バック現象は液位の高さに比例して起きやすい。
【００３７】
つまり、運転開始直後等の冷水出口温度が目標設定値よりも高いときには、液位が低めになるように電動膨張弁５０の開度を絞るよう制御し、水Ｗの温度の低下にしたがって電動膨張弁５０を開放して冷媒Ｃ１の液位を徐々に高くしていけば、液バック現象を防止しつつ、冷媒Ｃ１と伝熱管１２の接触面積を広げていくことができ、効率的に熱伝達効率を上げていくことが可能となる。
【００３８】
さらに、液体状の冷媒Ｃ１の液位が急激に変化すると伝熱管１２の伝熱性能が変化して、局部的に伝熱管１２内で過冷却状態が解除されて、瞬時に過冷却水Ｗ´から氷Ｉへと状態変化し閉塞が生じる。このため伝熱管１２内で被冷却流体である水Ｗを連続的に流して過冷却水Ｗ´を得るためには、冷媒Ｃの循環流量が大きく変動し、冷却負荷が大きく変動したときであっても、蒸発容器１４内の冷媒Ｃ１の液位を一定に制御する必要がある。
【００３９】
しかし、上述したように、液位検出装置２０を用いれば、正確な差圧の検出が可能であり、電動膨張弁５０によって液位を一定に制御することが可能である。したがって、閉塞を防止しつつ、連続して安定した過冷却水Ｗ´を得ることができる。
【００４０】
このように、液位検出装置２０を用いれば、蒸発容器１４内の液位差圧を正確に検出することができ、冷媒Ｃの液位の正確な制御も可能となる。また、連続的に安定して過冷却水Ｗ´を得ることができる。
【００４１】
なお、上述した実施の形態において示した動作手順、あるいは各構成部材の諸形状や組み合わせ等は一例であって、本発明の主旨から逸脱しない範囲において設計要求等に基づき種々変更可能である。
【００４２】
たとえば、図３に示すように、低圧側導圧管２４ｂ´のように上方に向かう垂直な部分がなくても、ヒーター２５の設置によって、気体状の冷媒Ｃ２の圧力を正確に検出することが可能であるし、ヒーター２５は低圧側導圧管の他の一部または一部だけでなく全部に設置しても構わない。また、低圧側導圧管内の気体状の冷媒Ｃ２が凝縮しない圧力、温度で氷蓄熱装置１を運転するならば、ヒーター２５の設置は必ずしも要しない。
【００４３】
また、図３に示すように、高圧側導圧管２４ａ´は上下方向にさえ配置されていれば、混入した気泡は上昇していくため、傾斜をつけて配置されていても構わない。
【００４４】
また、液位検出装置２０を用いて発電プラント等における蒸気ドラムの液位（水位）を適切な範囲に保ってタービンへの水のキャリーオーバ（液バック）を防ぐこともできる。
【００４５】
また、液位検出装置２０を冷凍機における凝縮容器や液化プラント等における凝縮容器に用いることにより、液位（水位）を適切な範囲に保つこともできる。これにより、凝縮容器の最適な熱伝達効率が得られる。
【図面の簡単な説明】
【００４６】
【図１】本発明の実施形態に係る氷蓄熱装置の概略図である。
【図２】本発明の実施形態に係る液位検出装置である。
【図３】液位検出装置の変形例を示す図である。
【符号の説明】
【００４７】
１…氷蓄熱装置、３…ヒートポンプシステム、１０…過冷却装置（満液式蒸発器）、１２…伝熱管、１４…蒸発容器、２０…液位検出装置（冷媒液位検出装置）、２３…ヘッダー、２４ａ…高圧側導圧管（下部導管）、２４ｂ…低圧側導圧管（上部導管）、２５…ヒーター、２９…差圧伝送器（差圧検出部）３２…圧縮機、４０…冷媒凝縮装置（凝縮器）、５０…電動膨張弁（膨張器）、６６…過冷却状態解除装置、６７…ポンプ、７０…蓄熱槽、Ｗ…水、Ｗ´…過冷却水、Ｉ…氷、Ｃ（Ｃ１，Ｃ２）…冷媒、ＣＯＮＴ…制御装置
【図１】
2008224055.tif 000003
【図２】
2008224055.tif 000004
【図３】
2008224055.tif 000005